(57)【要約】【課題】表面が平坦な屋根瓦１の重ね合わせ部分で発生する隙間を目立たなくすると共に、雨水により屋根瓦１の重ね合わせ部分に発生する汚れを目立たなくして美観のよい屋根を形成する屋根瓦１を提供する。【解決手段】屋根に敷設される、表面が平坦な屋根瓦１であって、屋根瓦１が屋根に敷設された状態での屋根瓦１の軒側端部２の高さ（Ｔ）が１５〜３５ｍｍであると共に、屋根瓦１の軒側端部２に軒側と裏面側に開口する切欠部３が形成され、前記切欠部３の軒棟方向長さ（Ｂ）が前記高さ（Ｔ）に対して１／５〜２／７であると共に、前記切欠部３の高さ（Ｈ）が前記高さ（Ｔ）に対して１／６〜２／３、且つ、５ｍｍ以上である屋根瓦１とする。【選択図】図１
2010084437.tif 000002
【特許請求の範囲】
【請求項１】
屋根に敷設される、表面が平坦な屋根瓦であって、屋根瓦が屋根に敷設された状態での屋根瓦の軒側端部の高さ（Ｔ）が１５〜３５ｍｍであると共に、屋根瓦の軒側端部に軒側と裏面側に開口する切欠部が形成され、
前記切欠部の軒棟方向長さ（Ｂ）が前記高さ（Ｔ）に対して１／５〜２／７であると共に、前記切欠部の高さ（Ｈ）が前記高さ（Ｔ）に対して１／６〜２／３、且つ、５ｍｍ以上であることを特徴とする屋根瓦。
【請求項２】
前記切欠部の棟側の内面が平面状に形成され、前記切欠部の上部の内面が、前記切欠部の軒側の内面の上端から軒側に向けて上方向に軒棟方向に対する傾斜角（α）０〜３５°で延伸すると共に、前記切欠部の軒棟方向長さ（Ｂ）が３〜１０ｍｍに形成されていることを特徴とする請求項１に記載の屋根瓦。
【請求項３】
前記切欠部の内面が、軒棟方向に対して棟側に向けて上り傾斜している傾斜面であると共に、前記切欠部の軒棟方向長さ（Ｂ）が３〜１０ｍｍに形成されていることを特徴とする請求項１に記載の屋根瓦。
【請求項４】
前記切欠部の軒棟方向長さ（Ｂ）が５〜１０ｍｍに形成されていると共に、前記切欠部が、屋根瓦の軒側と裏面側に開口する第１切欠部と、第１切欠部よりも棟側に形成され第１切欠部側と裏面側に開口する、第１切欠部よりも高さの低い第２切欠部とからなり、
第１切欠部の棟側の内面が平面状に形成され、第１切欠部の上部の内面が、第１切欠部の軒側の内面の上端から軒側に向けて上方向に軒棟方向に対する傾斜角（α）０〜３５°で延伸し、
第２切欠部の棟側の内面が平面状に形成され、第２切欠部の上部の内面が、第２切欠部の軒側の内面の上端から軒側に向けて上方向に軒棟方向に対する傾斜角（β）０〜３５°で延伸していることを特徴とする請求項１に記載の屋根瓦。
【発明の詳細な説明】
【技術分野】
【０００１】
本発明は、建築用の屋根瓦に関するものであり、さらに詳しくは、表面が平坦な屋根瓦に関するものである。
【背景技術】
【０００２】
近年、建物の屋根に敷設する屋根瓦として、セメント系成形材料等を成形して得られる表面の平坦な屋根瓦が要望されている。このような屋根瓦は平瓦とも呼ばれ、シンプルな意匠の屋根を形成できることができるという特徴がある。表面が平坦な屋根瓦としては、例えば、特許文献１及び２の屋根瓦が開示されている。
【０００３】
図９は、このような屋根瓦１が敷設された屋根構造の一例を示している。この屋根瓦１は、表面が平坦に形成されると共に、屋根瓦１の軒側端部２の前端は平面状に形成されている。そして、屋根瓦１を屋根下地６に敷設する際には、軒側の屋根瓦１の上面に棟側の屋根瓦１を重ねて、屋根瓦１を隙間なく載置させて屋根を形成する。このような屋根には段差が付与されて、この段差により屋根の水切が行われ、雨水が激しく流れるのを防いでいる。
【０００４】
しかし、屋根瓦１の敷設後、野地の不陸や屋根瓦１の反り等によって、軒側の屋根瓦１と棟側の屋根瓦１の軒側端部２との間に隙間（口開き）が形成されることがある。このような隙間が形成されていると、美観上問題となり、クレームの発生原因になったりする。とりわけ平坦な屋根瓦１、特に表面が全くフラットな屋根瓦１の場合、形状等による目隠し作用がなく隙間が目立ちやすくなるため、美観をさらに損なうことになるとともに、場合によっては施工者が屋根瓦１の裏面の屋根下地６と接触する支持部１０等を加工して、隙間を目立たなくなるように調整するため、余計な施工の手間を生じさせることがある。さらに、屋根瓦１が粘土質材料を成形・焼成して得られるものである場合は、焼成により屋根瓦１の反りやねじれ、寸法のばらつきがいっそう発生しやすく、そのため、隙間が生じて美観を悪化させる傾向がより顕著となる。
【０００５】
また、棟側の屋根瓦１の軒側端部２はその軒側の前端が軒側の屋根瓦１の上に重ねられて敷設されており、図９の矢印に示すように、雨水は屋根瓦１の露出面に沿って流れる。そのため、軒側の屋根瓦１と棟側の屋根瓦１の重ね合わせ部分に、ほこりが堆積しやすく、このほこりの堆積により白い汚れが付着することがある。このとき、屋根瓦１は通常、有色であるために白い汚れが目立ちやすく、屋根の美観を損ねるという問題が生じている。
【特許文献１】特開平１０−１８３８７０号公報
【特許文献２】特開２００６−１８８９００号公報
【発明の開示】
【発明が解決しようとする課題】
【０００６】
本発明は上記の点に鑑みてなされたものであり、屋根瓦の重ね合わせ部分で発生する隙間を目立たなくすると共に、雨水により屋根瓦の重ね合わせ部分に発生する汚れを目立たなくして美観のよい屋根を形成する屋根瓦を提供することを目的とする
【課題を解決するための手段】
【０００７】
本発明の請求項１に係る屋根瓦１は、屋根に敷設される、表面が平坦な屋根瓦１であって、屋根瓦１が屋根に敷設された状態での屋根瓦１の軒側端部２の高さ（Ｔ）が１５〜３５ｍｍであると共に、屋根瓦１の軒側端部２に軒側と裏面側に開口する切欠部３が形成され、前記切欠部３の軒棟方向長さ（Ｂ）が前記高さ（Ｔ）に対して１／５〜２／７であると共に、前記切欠部３の高さ（Ｈ）が前記高さ（Ｔ）に対して１／６〜２／３、且つ、５ｍｍ以上であることを特徴とするものである。
【０００８】
請求項２に係る屋根瓦１は、請求項１の構成に加え、前記切欠部３の棟側の内面が平面状に形成され、前記切欠部３の上部の内面が、前記切欠部３の軒側の内面の上端から軒側に向けて上方向に軒棟方向に対する傾斜角（α）０〜３５°で延伸すると共に、前記切欠部３の軒棟方向長さ（Ｂ）が３〜１０ｍｍに形成されていることを特徴とするものである。
【０００９】
請求項３に係る屋根瓦１は、請求項１の構成に加え、前記切欠部３の内面が、軒棟方向に対して棟側に向けて上り傾斜している傾斜面であると共に、前記切欠部３の軒棟方向長さ（Ｂ）が３〜１０ｍｍに形成されていることを特徴とするものである。
【００１０】
請求項４に係る屋根瓦１は、請求項１の構成に加え、前記切欠部３の軒棟方向長さ（Ｂ）が５〜１０ｍｍに形成されていると共に、前記切欠部３が、屋根瓦１の軒側と裏面側に開口する第１切欠部３ａと、第１切欠部３ａよりも棟側に形成され第１切欠部３ａ側と裏面側に開口する、第１切欠部よりも高さの低い第２切欠部３ｂとからなり、第１切欠部３ａの棟側の内面が平面状に形成され、第１切欠部３ａの上部の内面が、第１切欠部３ａの軒側の内面の上端から軒側に向けて上方向に軒棟方向に対する傾斜角（α）０〜３５°で延伸し、第２切欠部３ｂの棟側の内面が平面状に形成され、第２切欠部３ｂの上部の内面が、第２切欠部３ｂの軒側の内面の上端から軒側に向けて上方向に軒棟方向に対する傾斜角（β）０〜３５°で延伸していることを特徴とするものである。
【発明の効果】
【００１１】
本発明の請求項１による屋根瓦１によれば、その軒側端部２に切欠部３が形成されていることにより、屋根瓦１の敷設後にはこの切欠部３に影が形成されるので、軒側の屋根瓦１と棟側の屋根瓦１との間に隙間が形成されたとしても、隙間を目立たなくすることができ、屋根の美観が悪化するのを防止することができる。また、雨水によりほこりが堆積して白い汚れが付着したとしても、切欠部３により形成される影によってこの汚れを目立たなくすることができ、屋根の美観が悪化するのを防止することができる。
【００１２】
請求項２による屋根瓦１によれば、風が切欠部３に吹き込んだとしても、乱流が発生して切欠部３のない形状よりも雨水が隙間に流れにくくなるので、十分な防水性を屋根に付与して屋根の水仕舞を向上させることができる。また、浅い角度から差し込む光に対しても影を形成することができるので、重ね合わせ部分に生じる隙間や雨水による汚れをより目立たなくさせて屋根の美観が悪化するのを防止することができる。
【００１３】
請求項３による屋根瓦１によれば、屋根瓦１の表面と直交する方向に対して棟側に向けて上り傾斜している傾斜面を施すという簡単な構成により切欠部３を形成することができるので、切欠部３を容易に屋根瓦１に形成することができ、簡単に屋根の美観が悪化するのを防止することができる。
【００１４】
請求項４による屋根瓦１によれば、二段階の切欠部３を形成することにより、風が切欠部３に吹き込んだとしても、乱流が発生して切欠部３のない形状よりも雨水が隙間に流れにくくなるので、十分な防水性を屋根に付与して屋根の水仕舞を向上させることができる。また、浅い角度から差し込む光に対しても影を形成することができると共に、隙間や汚れが見えたとしてもこの影がスリット状の模様を形成することにより、重ね合わせ部分に生じる隙間や雨水による汚れをより目立たなくさせて屋根の美観が悪化するのをさらに防止することができる。
【発明を実施するための最良の形態】
【００１５】
図１は、本発明の屋根瓦１の一例を敷設した屋根構造を示した断面図であり、図１（ａ）は概略図、図１（ｂ）は要部拡大図である。また、図２及び図３は、図１で示した屋根瓦１を示しており、図２は平面図、図３はＡ−Ａ断面図である。
【００１６】
この屋根瓦１は平面視矩形状でその表面が平坦に形成されており、敷設時には屋根下地６の上に載置される。屋根瓦１の軒側には、敷設時に隣接する他の屋根瓦の棟側の端部の上に重ねられる部位として軒側端部２が備えられている。この軒側端部２の軒側の前端の裏面には、屋根瓦の軒棟方向と直交する方向の一端から他端に亘って下方に突出した前垂部７が形成されている。
【００１７】
一方、屋根瓦１の棟側の端部には、屋根瓦１の他の部分よりも上下方向に、屋根瓦１の軒棟方向と直交する方向の一端から他端に亘って突出させて形成された立ち上がり部８が形成されている。
【００１８】
また、屋根瓦１の軒棟方向と直交する方向の一端縁には、裏面に突出すると共に表面が屋根瓦１の他の部分の表面よりも下方に位置した下重ね部４が形成され、他端縁には、敷設時に下重ね部４に上から重ねられる上重ね部５が形成されている。この屋根瓦１を平面上に載置した状態では、上重ね部５及び下重ね部４の裏面は前記平面から浮いた状態となっている。
【００１９】
また、屋根瓦１の棟側寄りの部分の、棟側端縁よりも軒側の部分には、下方に突出する支持部１０が突設されている。この支持部１０は、敷設時に屋根瓦１を屋根下地６に支持する部分となっている。
【００２０】
屋根瓦１の棟側の端縁と、下重ね部４とには、それぞれビスや釘等の固着具が打入される固着孔１１が設けられている。この固着孔１１に固着具が打入されることにより、屋根瓦１は屋根下地６に固着される。
【００２１】
屋根瓦１は、屋根に敷設された状態での屋根瓦１の軒側端部２の高さ（Ｔ）が１５〜３５ｍｍに形成されている。軒側端部２の高さ（Ｔ）が１５ｍｍ未満では、木口が薄く見えて重厚感や高級感に乏しく美観を損なうおそれがあり、一方、軒側端部２の高さ（Ｔ）が３５ｍｍを超えると、一般的な住宅の二階に敷設した際には屋根瓦１の厚みが大きすぎて美観上好ましくない。なお、軒側端部２の高さ（Ｔ）とは、軒側に隣接する他の屋根瓦１との高低差のことであり、軒側端部２における屋根瓦１の表面から、軒側に隣接する他の屋根瓦１の表面までの屋根瓦１の表裏方向の長さのことである。また、図示の例では、軒側端部２における屋根瓦１の厚みということもできる。
【００２２】
屋根瓦１の軒側端部２には、軒側と裏面側に開口する切欠部３が形成されており、この切欠部３は、軒棟方向と直交する方向の一端から他端に亘って屋根瓦１に設けられている。そして、この切欠部３は、切欠部３の軒棟方向長さ（Ｂ）が前記高さ（Ｔ）に対して１／５〜２／７となるように形成されている。切欠部３の軒棟方向長さ（Ｂ）が前記軒側端部２の高さ（Ｔ）に対して１／５よりも小さいと、切欠部３によって十分な影が形成されにくくなり、隙間や汚れを目立たなくさせることができなくなる。一方、切欠部３の軒棟方向長さ（Ｂ）が前記軒側端部２の高さ（Ｔ）に対して２／７を超えると、軒側端部２の前端の強度が低下して踏割が発生するおそれがある。なお、切欠部３の軒棟方向長さ（Ｂ）とは、切欠部３が屋根瓦１の軒側に開口する位置から切欠部３が屋根瓦１の裏面側に開口する位置までの軒棟方向の長さのことである。
【００２３】
さらに、この切欠部３は、切欠部３の高さ（Ｈ）が前記高さ（Ｔ）に対して１／６〜２／３、且つ、５ｍｍ以上となるように形成されている。切欠部３の高さ（Ｈ）が前記軒側端部２の高さ（Ｔ）に対して１／６より低いと、影の上下方向の厚みが少なくなるため、重ね合わせ部分に生じる隙間や汚れを目立たなくすることができにくくなる。一方、切欠部３の高さ（Ｈ）が前記軒側端部２の高さ（Ｔ）に対して２／３より高いと、切欠部３の上下方向の開口範囲が広くなりすぎて重ね合わせ部分に影を形成することができにくくなり、隙間や汚れを目立たなくすることができなくなる。また、切欠部３の高さ（Ｈ）が５ｍｍ未満では、影の上下方向の厚みが少なくなるため、影が十分にできず重ね合わせ部分に生じる隙間や汚れを目立たなくすることができなくなる。なお、切欠部３の高さ（Ｈ）とは、切欠部３が屋根瓦１の裏面側に開口する位置から切欠部３が屋根瓦１の軒側に開口する位置までの軒棟方向と垂直な方向の長さのことである。
【００２４】
屋根瓦１は、切欠部３の軒棟方向の長さ（Ｂ）及び高さ（Ｈ）が、上記のような範囲になることにより、屋根瓦１の敷設後に生じる隙間や雨水による汚れを目立たなくさせるのに適した影を形成することができるものである。
【００２５】
図１の例では、切欠部３の棟側の内面が平面状に形成されている。この切欠部３の棟側の内面は、屋根瓦１の表面に対して略直交する平面として形成されているが、厳密には、抜け勾配があるため軒棟方向と垂直な方向から軒側に約３〜５°程度傾斜した平面となっている。また、前記切欠部３の上部の内面が、前記切欠部３の軒側の内面の上端から軒側に向けて上方向に軒棟方向に対する傾斜角（α）０〜３５°で延伸するように形成されている。傾斜角（α）が０°より小さいと、雨水を屋根瓦１の露出面に沿って流すことができにくくなり、雨水による汚れを目立たなくすることができなくなるおそれがある。一方、傾斜角（α）が３５°を超えると、浅い角度から差し込む光に対して影を十分に形成しにくくなるおそれがある。この傾斜角（α）は０°よりも大きいのがさらに好ましい。それにより、雨水をさらに確実に、屋根瓦１の露出面に沿って（図１（ｂ）の矢印）、流すことができる。
【００２６】
また、切欠部３の軒棟方向長さ（Ｂ）は３〜１０ｍｍの範囲となっている。切欠部３の軒棟方向長さ（Ｂ）が３ｍｍより短いと十分な影が形成されにくくなり、隙間や汚れを目立たなくさせることができなくなるおそれがある。一方、前記切欠部３の軒棟方向長さ（Ｂ）が１０ｍｍより長いと軒側端部２の前端の強度が低下して踏割が発生するおそれがある。
【００２７】
このような切欠部３が形成されることにより、風が切欠部３に吹き込んだとしても、乱流が発生して切欠部３のない形状よりも雨水が隙間に流れにくくなるので、十分な防水性を得て屋根の水仕舞を向上させることができる。また、浅い角度から差し込む光に対しても影を形成することができるので、重ね合わせ部分に生じる隙間や雨水による汚れをより目立たなくさせて屋根の美観が悪化するのを防止することができる。
【００２８】
また、図４の例のように、切欠部３の内面が、軒棟方向に対して棟側に向けて上り傾斜している傾斜面であると共に、前記切欠部３の軒棟方向長さ（Ｂ）が３〜１０ｍｍに形成されているものであることも好ましい。それにより、傾斜面を形成するという簡単な構成により切欠部３を形成することができるので、切欠部３を容易に屋根瓦１に形成することができ、簡単に屋根の美観が悪化するのを防止することができる。切欠部３の軒棟方向長さ（Ｂ）が３ｍｍより短いと十分な影が形成されにくくなり、隙間や汚れを目立たなくさせることができなくなるおそれがある。一方、前記切欠部３の軒棟方向長さ（Ｂ）が１０ｍｍより長いと軒側端部２の前端の強度が低下して踏割が発生するおそれがある。
【００２９】
また、図５の例のように、切欠部３が、屋根瓦１の軒側と裏面側に開口する第１切欠部３ａと、第１切欠部３ａよりも棟側に形成され第１切欠部３ａ側と裏面側に開口する第２切欠部３ｂとから形成され、切欠部３が全体として二段になっていることも好ましい。それにより、風が切欠部３に吹き込んだとしても、図１に示す場合よりも複雑な乱流が発生して切欠部３がない形状よりも雨水がさらに隙間に流れにくくなるので、十分な防水性を得て屋根の水仕舞を向上させることができる。また、浅い角度から差し込む光に対しても影を形成することができると共に、隙間や汚れが見えたとしてもこの影がスリット状の模様を形成することにより、重ね合わせ部分に生じる隙間や雨水による汚れをより目立たなくさせて屋根の美観が悪化するのをさらに防止することができる。
【００３０】
第１切欠部３ａと第２切欠部３ｂとを合わせた切欠部３の軒棟方向長さ（Ｂ）は５〜１０ｍｍの範囲となっている。切欠部３の軒棟方向長さ（Ｂ）が５ｍｍより短いと十分な影が形成されにくくなり、隙間や汚れを目立たなくさせることができなくなるおそれがある。一方、前記切欠部３の軒棟方向長さ（Ｂ）が１０ｍｍより長いと軒側端部２の前端の強度が低下して踏割が発生するおそれがある。
【００３１】
第１切欠部３ａの棟側の内面は平面状に形成されている。第１切欠部３ａの上部の内面は、第１切欠部３ａの軒側の内面の上端から軒側に向けて上方向に傾斜角（α）０〜３５°で延伸している。また、第２切欠部３ｂの棟側の内面は平面状に形成されている。第２切欠部３ｂの上部の内面は、第２切欠部３ｂの軒側の内面の上端から軒側に向けて上方向に傾斜角（β）０〜３５°で延伸している。
【００３２】
このように傾斜角（α）（β）の範囲は０〜３５°である。傾斜角（α）（β）が０°より小さいと、雨水を屋根瓦１の露出面に沿って流すことができにくくなり、雨水による汚れを目立たなくすることができなくなるおそれがある。一方、傾斜角（α）（β）が３５°を超えると、浅い角度から差し込む光に対して影を十分に形成しにくくなるおそれがある。この傾斜角（α）（β）は０°よりも大きいのがさらに好ましい。それにより、雨水をさらに確実に、屋根瓦１の露出面に沿って流すことができる。なお、第１切欠部３ａ及び第２切欠部３ｂの棟側の内面は、屋根瓦１の表面に対して略直交する平面として形成されているが、厳密には、抜け勾配があるため軒棟方向と垂直な方向から軒側に約３〜５°程度傾斜した平面となっている。
【００３３】
また、第２切欠部３ｂの高さ（Ｈ２）は、第１切欠部３ａの高さ（Ｈ１）よりも小さいものであれば適宜設定し得るが、この高さ（Ｈ２）は第１切欠部の３ａ高さ（Ｈ１）に対して１／３〜２／３であるのが好ましい。また、第２切欠部３ｂの高さ（Ｈ２）は、屋根瓦１の軒側端部２の高さ（Ｔ）に対して１／６以上となることが好ましい。また、第１切欠部３の軒棟方向長さ（ｂ１）と第２切欠部３ｂの軒棟方向長さ（ｂ２）は、少なくともいずれか一方が１ｍｍ以上であることが好ましく、（ｂ１）／（ｂ２）＝１／３〜３／１となるように切欠部３が形成されているのがより好ましく、（ｂ１）＝（ｂ２）となるように切欠部３が形成されているのがさらに好ましい。
【００３４】
なお、第１切欠部３ａの高さ（Ｈ１）は、切欠部３全体の高さ（Ｈ）と等しく、軒側端部２の高さ（Ｔ）に対して１／６〜２／３、且つ、５ｍｍ以上となるように形成されている。そして、第２切欠部３ｂの高さ（Ｈ２）は、第１切欠部３ａよりも低く、軒側端部２の高さ（Ｔ）の２／３未満である。また、第１切欠部３ａの軒棟方向長さ（ｂ１）と第２切欠部３ｂの軒棟方向長さ（ｂ２）の合計が切欠部３全体の軒棟方向長さ（Ｂ）となっている。
【００３５】
このように切欠部３の好ましい例として、具体的な三つの実施の形態を例示したが、本発明はこれに限られるものではない。例えば、切欠部３を曲面状に形成してもよいし、異なる傾斜角度を有する複数の傾斜面が設けられた形状として形成してもよい。また、三以上の切欠部３を備えるような切欠部３を設けてもよい。
【００３６】
屋根瓦１は、適宜の材料及び方法にて形成することができるが、セメント系成形材料を成形した後に養生硬化したセメント系成型品であることや、粘土質材料を成形及び焼成した焼成品（粘度瓦）であることが好ましい。セメント系成形材料を用いた場合、屋根瓦１の厚みが増した場合でも屋根瓦１が重くなるのを抑えて、屋根瓦１を軽量化することができる。一方、屋根瓦１が焼成品である場合、焼成時にあばれが生じても、敷設時にこのあばれを吸収することができる。すなわち、焼成して得た屋根瓦１は、瓦の反りやねじれ、寸法のばらつきがいっそう発生しやすく、そのため、隙間が生じて美観を悪化させる傾向がより顕著となる。しかしながら、本発明によれば、切欠部３が影を形成するので、屋根瓦１が焼成品である場合であっても、隙間を目立たなくすることができ、美観の悪化を防止することができる。
【００３７】
セメント系成形材料としては、セメントと水と油性物質とを主成分としてＷ／Ｏエマルションが形成されたセメント含有逆エマルション組成物を用いるのが好ましい。このようなセメント系成形材料は保形性が高く、屋根瓦１の作製に好適に用いることができる。
【００３８】
セメントとしては、特に制限されるものではないが、ポルトランドセメント、フライアッシュセメント、高炉セメント、アルミナセメント、ハイアルミナセメント、シリカフュームセメント、スラグセメント、早強セメント等を用いることができ、これらを一種単独で用いたり、二種以上を併用したりすることができる。セメント含有逆エマルション組成物におけるセメントと水の比率は任意に設定することができるが、重量比率で、セメント１に対して水０．３〜２の範囲であるのが一般的に好ましい。
【００３９】
油性物質としては、特に制限されるものではないが、通常は疎水状の液状物質が利用され、例えばトルエン、キシレン、灯油、スチレン、ジビニルベンゼン、メチルメタクリレート、トリメチロールプロパントリメタクリレート、不飽和ポリエステル樹脂等を挙げることができ、これらを一種単独で用いたり、二種以上を併用したりすることができる。油性物質の配合量は任意に設定することができるが、セメント含有逆エマルション組成物中の水と固形分の総量に対して５〜１０体積％の範囲であるのが好ましい。
【００４０】
セメント含有逆エマルション組成物には、乳化剤を配合することが好ましい。乳化剤を配合することにより逆エマルションを安定化することができる。乳化剤としては、特に限定されるものではないが、例えば、ソルビタンセスキオール、グリセロールモノステアレート、ソルビタンモノオレート、ジエチレングリコールモノステアレート、ソルビタンモノステアレート、ジグリセロールモノオレート等の非イオン性界面活性剤、各種のアニオン系界面活性剤、カチオン系界面活性剤等を用いることができ、これらを一種単独で用いたり、二種以上を併用したりすることができる。乳化剤の配合量は任意に設定することができるが、セメント含有逆エマルション組成物中の水と固形分の総量に対して１〜３体積％の範囲であるのが好ましい。
【００４１】
セメント含有逆エマルションにはさらに、補強材、軽量化材、架橋剤、重合開始剤、各種添加剤などの材料・成分を適宜の量で配合することができる。補強材としては、例えば砂利、パーライト、シラスバルーン、ガラス粉、アルミナシリケートなどの骨材、ポリプロピレン繊維、アクリル繊維、ビニロン繊維、アラミド繊維等の合成繊維や、炭素繊維、ガラス繊維、パルプなどの補強繊維を挙げることができる。軽量化材としては、例えばパーライト等の無機系軽量化材や、アクリロニトリル発泡体、発泡ポリスチレン、ポリ塩化ビニリデン発泡体等の有機系軽量化材を用いることができる。架橋剤としては、例えばトリメチロールプロパントリメタクリレート等を用いることができる。重合開始剤としては、有機過酸化物や過硫酸塩等の重合開始剤、例えばｔ−ヘキシルパーオキシ−２−エチルヘキサノエート等を用いることができる。
【００４２】
セメント含有逆エマルションの作製にあたっては、まず、乳化剤、スチレンモノマー、水、架橋剤及び重合開始剤を混合して逆エマルションを調製する。このとき、例えば、乳化剤（ヤシ油１〜２重量部）、スチレンモノマー４〜６重量％、水３５〜５０重量部、架橋剤適量、重合開始剤適量の配合比率にする。次に、この逆エマルションとセメントと軽量化材と補強繊維とを強制撹拌機又は連続混合機にて混合する。このとき、例えば、逆エマルション１００重量部に対して、セメント７０〜９０重量部、有機系軽量化材０．３〜５．０重量部、補強繊維１〜２重量部の配合比率としたり、逆エマルション１００重量部に対して、セメント５５〜７５重量部、無機系軽量化材１５〜３５重量部、補強繊維１〜２重量部の配合比率としたりする。これにより、屋根瓦１の作製に適したセメント含有逆エマルションを作製することができる。
【００４３】
屋根瓦１の作製にあたっては、まず、上記のセメント系成形材料を、注型法、押出成形法、射出成形法、プレス成形法等の適宜の方法で成形する。その際、切欠部３は、切欠部３に対応する部分を突出させた成形型が用いられることにより成形されてもよいし、成形後に削り取るなどして切欠部３を形成してもよい。次に、例えば８０〜１００℃で６〜１５時間蒸気養生する。このようにして屋根瓦１を得ることができる。
【００４４】
次に、本発明の屋根瓦１を屋根下地６に敷設して屋根を形成する方法について説明する。図６は屋根瓦１を敷設する様子を示した平面図である。
【００４５】
屋根下地６は屋根瓦を載置するための下地である。屋根下地６は野地にて形成することができ、この場合、野地には必要に応じてアスファルトルーフィング等の防水シートを設けることができる。この屋根下地６上に、順次屋根瓦１を敷設する。
【００４６】
屋根瓦１を敷設するにあたっては、まず、複数の屋根瓦１を軒棟方向と直交する方向に順次載置する。このとき、まず屋根瓦１を屋根下地６上に配置し、この状態で固着孔１１にビスや釘等の固着具を打入して屋根下地６上に屋根瓦１を固定する。次いで、固定した屋根瓦１の、下重ね部４が設けられている側の側方に、別の屋根瓦１を配置する。このとき固定された屋根瓦１の下重ね部４に、別の屋根瓦１の上重ね部５を重ねるようにし、下重ね部４における固着具の固着位置を上重ね部５で覆うようにする。この状態で、前記別の屋根瓦１の固着孔１１に前記と同様にして固着具を打入して屋根下地６に固定する。この動作を複数回繰り返すことで、複数の屋根瓦１を軒棟方向と直交する方向に並べて敷設する。
【００４７】
次に、上記のように敷設された屋根瓦１（以下、一列目の屋根瓦１という）の棟側の屋根下地６上に、別の屋根瓦１（以下、二列目の屋根瓦１という）を配置する。図６に示す例では、二列目の屋根瓦１の横方向位置を一列目の屋根瓦１からずらして、千鳥状に配置している。このとき、一列目の屋根瓦１の棟側端縁における固着具の固着位置が、二列目の屋根瓦１にて覆われるように配置する。この状態で、二列目の屋根瓦１の固着孔１１に上記一列目の屋根瓦１の場合と同様に固着具を打入して、二列目の屋根瓦１を固定する。
【００４８】
次いで、一列目の屋根瓦１の場合と同様に、この二列目の固定した屋根瓦１の、下重ね部４が設けられている側に、別の屋根瓦１を載置する。このとき、先に固着された屋根瓦１と軒棟方向における位置を合わせると共に、一列目の屋根瓦１の棟側端縁における固着具の固着位置が二列目の屋根瓦１にて覆われるように配置する。
【００４９】
この動作を複数回繰り返すことにより、複数の二列目の屋根瓦１を軒棟方向と直交する方向に並べて敷設する。
【００５０】
そして、同様に三列目、四列目と繰り返し屋根瓦１を複数列敷設することにより、屋根下地６上に複数の屋根瓦１を敷設する。そして、さらに棟包１４と差棟１５とを取り付ける等の作業が行われて、図７に示すような屋根を形成することができる。
【００５１】
このように屋根瓦１を敷設した状態では、軒棟方向に隣り合う屋根瓦１同士では、図１に示すように軒側の屋根瓦１の表面に棟側の屋根瓦１の軒側端部２が重ねられている。このとき、屋根瓦１の表面と軒側端部２の下部との間は、美観を損ねないようにすると共に、雨水の吹き込みを防止するため、隙間が形成されないようにするか、隙間があってもその間隔が小さいことが望ましい。
【００５２】
しかしながら、野地の不陸や屋根瓦１の反り等によって、軒側の屋根瓦１の表面と棟側の屋根瓦１の軒側端部２の下部との間に隙間が形成されることがある。特に、図９の従来例のように屋根瓦１の軒側端部２の前端が重ね合わせ部分となった屋根瓦１の場合、屋根瓦１の表面が平坦なため形状等による目隠し作用がなく隙間が目立ちやすくなる。また、屋根瓦１が粘土質材料等を成形して得られるものである場合は、焼成して作製するため、瓦の反りやねじれ、寸法のばらつきがいっそう発生しやすく、そのため、隙間が生じて美観を悪化させる傾向がより顕著となる。また、屋根瓦１の露出面に沿って流れる雨水により作られた白い汚れが目立ちやすく、屋根の美観を損ねてしまう。
【００５３】
そのような場合であっても、本発明によれば、この屋根を軒側（木口）から見ると切欠部３の奥行き（Ｂ）により、屋根の段差の一部がセットバックした状態となり、この部分に影が形成され、全体としてスリット状の模様を形成して隙間や汚れを目立たなくすることができる。
【００５４】
図８は、本発明の屋根瓦１（１ａ）と従来の屋根瓦１（１ｂ）とが敷設された屋根を軒側から見た要部の説明図である。図８の左側には従来の屋根瓦１ｂが、右側には本発明の屋根瓦１ａが、それぞれ敷設されている。従来の屋根瓦１ｂでは影Ｓが形成されておらず、隙間や汚れが目立つ構造となっている。それに対し、本発明の屋根瓦１ａでは重ね合わせ部分に影Ｓが形成されているので、隙間や汚れが目立たない。
【００５５】
このように、本発明によれば、軒側の屋根瓦１と棟側の屋根瓦１との間に隙間が形成されたり、雨水によりほこりが堆積して白い汚れが付着したりしても、屋根瓦１の敷設後にはこの切欠部３に影が形成されるので、隙間や汚れを目立たなくすることができ、屋根の美観が悪化するのを防止することができる。
【図面の簡単な説明】
【００５６】
【図１】本発明の屋根瓦の一例を敷設した屋根構造を示す断面図であり、（ａ）は概略図、（ｂ）は要部拡大図である。
【図２】本発明の屋根瓦の一例を示す平面図である。
【図３】本発明の屋根瓦の一例を示し、図２のＡ−Ａ断面図である。
【図４】本発明の屋根瓦の他の一例を敷設した屋根構造を示す要部の断面図である。
【図５】本発明の屋根瓦の他の一例を敷設した屋根構造を示す要部の断面図である。
【図６】本発明の屋根瓦の一例を敷設する様子を示す平面図である。
【図７】本発明の屋根瓦の一例を敷設した屋根の一例を示す斜視図である。
【図８】本発明の屋根瓦の一例を敷設した屋根と従来の屋根瓦を敷設した屋根とを比較する説明図である。
【図９】従来例の屋根瓦を敷設した屋根構造を示す概略断面図である。
【符号の説明】
【００５７】
１    屋根瓦
２    軒側端部
３    切欠部
４    下重ね部
５    上重ね部
６    屋根下地
７    前垂部
８    立ち上がり部
１０  支持部
１１  固着孔
【図１】
2010084437.tif 000003
【図２】
2010084437.tif 000004
【図３】
2010084437.tif 000005
【図４】
2010084437.tif 000006
【図５】
2010084437.tif 000007
【図６】
2010084437.tif 000008
【図７】
2010084437.tif 000009
【図８】
2010084437.tif 000010
【図９】
2010084437.tif 000011